(57)【要約】【課題】パネルフレームと外壁面材をしっかりとした結合状態にすることができる、外壁パネルにおける外壁面材とパネルフレームとの結合構造の提供。【解決手段】外壁面材２の背面部にベース金物８が半埋込み状態にされて一体的に備えられ、断熱板４の背面部に結合金物９がベース金物のベースプレート部８ａに対応する領域とフレーム５を断熱板４側に押さえ込む領域とに渡すよう配置され、結合金物９にはベースプレート部に対応する領域において間隔保持用雄ネジ材１０が設けられ、該雄ネジ材１０とフレーム５を押さえ込む領域との間の領域で結合金物９にビス１２が通されベース金物のベースプレート部８ａに打ち込まれ締め込まれることで、結合金物９が雄ネジ材１０を支点としてフレーム５を断熱板４の側に押さえ込み、外壁面材２とフレーム５とを結合している。【選択図】      図１
2009057704.tif 000002
【特許請求の範囲】
【請求項１】
外壁面材の背面側に通気層を介して断熱板が設けられると共に、断熱板の背面側にパネルフレームが設けられた外壁パネルにおける外壁面材とパネルフレームとの結合構造において、
外壁面材の背面部にベース金物が半埋込み状態にされて一体的に備えられ、該ベース金物は、外壁面材の背面から離間し、通気層において断熱板の正面側に位置するベースプレート部を備え、
断熱板の背面部には、結合金物が、前記ベース金物のベースプレート部に対応する領域と、パネルフレームを断熱板側に押さえ込む領域とに渡すように配置され、
該結合金物には、ベース金物のベースプレート部に対応する領域において、基端側が結合金物に固定され、先端部が断熱板を通じてベース金物のベースプレート部に当接又は固定された間隔保持部が設けられ、
該間隔保持部と、パネルフレームを押さえ込む領域との間の領域において、結合金物のビス通孔にビスが通され、該ビスが断熱板を通じてベース金物のベースプレート部に打ち込まれ、締め込まれることによって、結合金物が間隔保持部を支点としてパネルフレームを断熱板の側に押さえ込んで、外壁面材とパネルフレームとを結合していることを特徴とする外壁パネルにおける外壁面材とパネルフレームとの結合構造。
【請求項２】
前記間隔保持部が、結合金物に螺合固定され、先端部を断熱板を通じてベース金物のベースプレート部に当接又は螺合固定させた雄ネジ材からなる請求項１に記載の外壁パネルにおける外壁面材とパネルフレームとの結合構造。
【請求項３】
前記外壁パネルが、地震時に外壁面材をロッキングさせるロッキング外壁パネルからなる請求項１又は２に記載の外壁パネルにおける外壁面材とパネルフレームとの結合構造。
【請求項４】
外壁面材の背面側にパネルフレームが備えられた外壁パネルにおける外壁面材とパネルフレームとの結合構造において、
外壁面材の背面側には、結合金物が、外壁面材に対応する領域と、パネルフレームを外壁面材の側に押さえ込む領域とに渡すように配置され、
該結合金物には、外壁面材に対応する領域において、基端側が結合金物に固定され、先端部が外壁面材の側に当接又は固定されて結合金物と外壁面材側との間に間隔を保持する間隔保持部が設けられ、
該間隔保持部と、パネルフレームを押さえ込む領域との間の領域において、結合金物のビス通孔にビスが通され、該ビスが外壁面材の側に打ち込まれ、締め込まれることによって、結合金物が間隔保持部を支点としてパネルフレームを外壁面材の側に押さえ込んで、外壁面材とパネルフレームとを結合していることを特徴とする外壁パネルにおける外壁面材とパネルフレームとの結合構造。
【発明の詳細な説明】
【技術分野】
【０００１】
本発明は、外壁パネルにおける外壁面材とパネルフレームとの結合構造に関する。
【背景技術】
【０００２】
例えば、外壁面材の背面側に通気層を介して断熱板が設けられると共に、断熱板の背面側にパネルフレームが設けられた外壁パネルにおける、外壁面材とパネルフレームとの結合構造として、
外壁面材の背面部にハット形のベース金物を半埋込み状態に設け、該ベース金物の中央プレート部を、外壁面材の背面から離間させ、通気層と断熱板を貫通させて断熱板の背面側に配置すると共に、断熱板の背面部に、結合金物を、前記ベース金物の中央プレート部とパネルフレームとに渡すように配置し、該結合金物をベース金物の中央プレート部にボルト止めすることにより、パネルフレームを結合金物と断熱板とで挟んだ状態にして、外壁面材とパネルフレームとを結合するようにしたものは、従来より提供されている。
【特許文献１】特開２００６−０６３７８５号公報
【発明の開示】
【発明が解決しようとする課題】
【０００３】
しかしながら、上記のような結合構造では、パネルフレームが結合金物と断熱板とで挟まれているだけであるので、パネルフレームと外壁面材とをしっかりとした結合状態にするのが難しいという問題がある。
【０００４】
本発明は、上記のような問題点に鑑み、パネルフレームと外壁面材をしっかりとした結合状態にすることができる、外壁パネルにおける外壁面材とパネルフレームとの結合構造を提供することを課題とする。
【課題を解決するための手段】
【０００５】
上記の課題は、外壁面材の背面側に通気層を介して断熱板が設けられると共に、断熱板の背面側にパネルフレームが設けられた外壁パネルにおける外壁面材とパネルフレームとの結合構造において、
外壁面材の背面部にベース金物が半埋込み状態にされて一体的に備えられ、該ベース金物は、外壁面材の背面から離間し、通気層において断熱板の正面側に位置するベースプレート部を備え、
断熱板の背面部には、結合金物が、前記ベース金物のベースプレート部に対応する領域と、パネルフレームを断熱板側に押さえ込む領域とに渡すように配置され、
該結合金物には、ベース金物のベースプレート部に対応する領域において、基端側が結合金物に固定され、先端部が断熱板を通じてベース金物のベースプレート部に当接又は固定された間隔保持部が設けられ、
該間隔保持部と、パネルフレームを押さえ込む領域との間の領域において、結合金物のビス通孔にビスが通され、該ビスが断熱板を通じてベース金物のベースプレート部に打ち込まれ、締め込まれることによって、結合金物が間隔保持部を支点としてパネルフレームを断熱板の側に押さえ込んで、外壁面材とパネルフレームとを結合していることを特徴とする外壁パネルにおける外壁面材とパネルフレームとの結合構造によって解決される（第１発明）。
【０００６】
この構造では、間隔保持部と、パネルフレームを押さえ込む領域との間の領域において、結合金物のビス通孔にビスが通され、該ビスが断熱板を通じてベース金物のベースプレート部に打ち込まれ、締め込まれることによって、結合金物が間隔保持部を支点としてパネルフレームを断熱板の側に押さえ込んで、外壁面材とパネルフレームとを結合しているので、パネルフレームと外壁面材をしっかりとした結合状態にすることができる。
【０００７】
第１発明において、前記間隔保持部が、結合金物に螺合固定され、先端部を断熱板を通じてベース金物のベースプレート部に当接又は螺合固定させた雄ネジ材からなるとよい（第２発明）。この場合は、雄ネジ材を打ち込むだけで間隔保持部を形成することができて、間隔保持部を容易に設けることができる。
【０００８】
第１，第２発明において、前記外壁パネルが、地震時に外壁面材をロッキングさせるロッキング外壁パネルからなるとよい（第３発明）。この場合は、ロッキングと結合に好適な結合状態を、ビスの締め具合を調節するだけで実現することができて、ロッキング外壁パネルの製作を容易にすることができる。
【０００９】
また、上記の課題は、外壁面材の背面側にパネルフレームが備えられた外壁パネルにおける外壁面材とパネルフレームとの結合構造において、
外壁面材の背面側には、結合金物が、外壁面材に対応する領域と、パネルフレームを外壁面材の側に押さえ込む領域とに渡すように配置され、
該結合金物には、外壁面材に対応する領域において、基端側が結合金物に固定され、先端部が外壁面材の側に当接又は固定されて結合金物と外壁面材側との間に間隔を保持する間隔保持部が設けられ、
該間隔保持部と、パネルフレームを押さえ込む領域との間の領域において、結合金物のビス通孔にビスが通され、該ビスが外壁面材の側に打ち込まれ、締め込まれることによって、結合金物が間隔保持部を支点としてパネルフレームを外壁面材の側に押さえ込んで、外壁面材とパネルフレームとを結合していることを特徴とする外壁パネルにおける外壁面材とパネルフレームとの結合構造によって、同様に解決される（第４発明）。即ち、外壁パネルにおいて、ベース金物や、断熱板、通気層等が備えられているか否かは任意である。
【発明の効果】
【００１０】
本発明は、以上のとおりのものであるから、パネルフレームと外壁面材などの部材同士をしっかりとした結合状態にすることができる。
【発明を実施するための最良の形態】
【００１１】
次に、本発明の実施最良形態を図面に基づいて説明する。
【００１２】
図１〜図８に示す実施形態は、外壁面材２がパネルフレーム５に対して地震時にロッキング動作を行うロッキング外壁パネルに適用した場合のもので、図６（イ）（ロ）に示すように、該外壁パネル１は、第１部材としての外壁面材２の背面側に通気層３を介してグラスウールボード等からなる断熱板４が配置されると共に、断熱板４の背面側に第２部材としてのパネルフレーム５が配置された構造となっている。
【００１３】
パネルフレーム５は、図７（イ）に示すように、溝形をした上下の鋼製横フレーム材５ａ，５ｂと、同じく溝形をした左右の鋼製縦フレーム材５ｃ，５ｃとを方形環状に組んだものからなり、通気層３は、図６（イ）（ロ）に示すように、外壁面材２と断熱板４との間に縦胴縁６…を左右方向に間隔的に介設して形成されたものであり、縦胴縁６…と断熱板４との間には防水層７が備えられている。
【００１４】
そして、外壁面材２は、ＧＲＣ板からなっていて、その背面部には、ハット形のベース金物８…が、図７（ロ）及び図８（ロ）に示すように、パネルフレーム５の上下左右の各フレーム材５ａ，５ｂ，５ｃ，５ｃと内側において隣り合うように、コンクリート打込み時に半埋込み状態にされることで一体的に設けられ、図６（イ）（ロ）に示すように、各ベース金物８…は、ベースプレート部を構成する中央プレート部８ａが、外壁面材２の背面から離間し、通気層３において断熱板４の正面部に沿うように備えられている。なお、図８（ロ）において、図８（イ）に示す断熱板４は、ベース金物８を備えた外壁面材２と、パネルフレーム５との間に介設される。
【００１５】
そして、断熱板４の背面部には、各ベース金物８に対応して、結合金物９が、ベース金物８の中央プレート部８ａに対応する領域と、パネルフレーム５を断熱板４側に押さえ込む領域とに渡すように配置されている。
【００１６】
本実施形態では、パネルフレーム５の左右の縦フレーム材５ｃ，５ｃに対して図４（イ）に示す形態の結合金物９が用いられ、パネルフレーム５の上の横フレーム材５ａに対して図５（イ）に示すような形態の結合金物９が用いられ、パネルフレーム５の下の横フレーム材５ｂに対して図５（ロ）に示すような形態の結合金物９が用いられている。
【００１７】
図４（イ）に示す形態の結合金物９による結合構造と方法について説明すると、該結合金物９には、ベース金物８の中央プレート部８ａに対応する領域において、間隔保持部を形成する雄ネジ材１０を螺合するネジ孔１１と、結合用のビス１２を通すビス通孔１３とが、ネジ孔１１をビス通孔１３を挟んでパネルフレーム５の縦フレーム材５ｃとは反対の側に位置させるようにして備えられている。
【００１８】
該結合金物９は、図２（イ）（ロ）に示すように、ベース金物８の中央プレート部８ａに対応する領域と、パネルフレーム５を断熱板４側に押さえ込む領域とに渡すように配置し、ベース金物８の中央プレート部８ａに対応する領域において、結合金物９のネジ孔１１に、図２（ロ）及び図３（ハ）に示すように、間隔保持用の雄ネジ材１０が螺合し、螺進させて、断熱板４を貫通し、ベース金物８の中央プレート部８ａに当接させた状態にする。
【００１９】
しかる後、図３（ハ）（ニ）に示すように、結合金物９のビス通孔１３に結合用のビス１２を通し、回転させて断熱板４を貫通させ、ベース金物８の中央プレート部８ａに打ち込み、締め込んでいく。この締込みにより、結合金物９は、間隔保持用の雄ネジ材１０を支点としてパネルフレーム５の縦フレーム材５ｃを断熱板４の側に押さえ込んでいき、外壁面材２とパネルフレーム５とが結合される。なお、ベース金物８の中央プレート部８ａには、ビス１２の下孔が設けられていてもよいし、設けられていなくてもよい。
【００２０】
図５（イ）（ロ）に示す各結合金物９，９についても同様である。
【００２１】
そして、本実施形態では、外壁パネル１をロッキング外壁パネルに構成するため、パネルフレーム５の左右の縦フレーム５ｃ，５ｃと結合金物９、及び、下の横フレーム材５ｂと結合金物９は、図４（イ）及び図５（ロ）に示すように、地震時にすべりを生じるように結合用ビス１２が締め込まれていると共に、上の横フレーム材５ａと結合金物９とは、図５（イ）に示すように、ビス１４で固定されると共に、結合金物９に備えられた、結合用のビス１２の通されるビス通孔１３は上下方向を向く長孔に形成され、結合金物９とベース金物８とが上下方向にすべりを生じるように結合用ビス１２が締め込まれる。
【００２２】
上記の外壁パネル１では、間隔保持をしている雄ネジ材１０と、パネルフレーム５を押さえ込む領域との間の領域において、結合金物９のビス通孔１３に結合用ビス１２が通され、該ビス１２が断熱板４を通じてベース金物８の中央プレート部８ａに打ち込まれ、締め込まれることによって、結合金物９が間隔保持用雄ネジ材１０を支点としてパネルフレーム５を断熱板４の側に押さえ込んで、外壁面材２とパネルフレーム５とを結合しているので、パネルフレーム５と外壁面材２をしっかりとした結合状態にすることができる。
【００２３】
しかも、間隔保持部を上記のように雄ネジ材１０で構成しているので、雄ネジ材１０を打ち込むだけで間隔保持部を形成することができて、間隔保持部を容易に設けることができる。
【００２４】
加えて、ロッキング外壁パネル１において、上記のような結合構造を採用していることにより、外壁面材２のロッキングと結合に好適な結合状態を、結合用ビス１２の締め具合を調節するだけで実現することができて、ロッキング外壁パネル１の製作を容易にすることができる。
【００２５】
また、本実施形態では、ベース金物８…の中央プレート部８ａが、外壁面材２の背面から離間し、通気層３において断熱板４の正面部に沿うように備えられ、縦胴縁６…と断熱板４との間には防水層７が設けられているので、ベース金物８の中央プレート部８ａに結合用ビス１２を貫通させて打ち込んで、防水層７を貫通しても、防水層７のビス貫通部は、断熱板４とベース金物８の中央プレート部８ａとの間に挟み込まれて、防水性能が損なわれることがない。
【００２６】
以上に、本発明の実施形態を示したが、本発明はこれに限られるものではなく、発明思想を逸脱しない範囲で各種の変更が可能である。例えば、上記の実施形態では、間隔保持用の雄ネジ材１０と、パネルフレーム５を押さえ込む領域との間の領域において、結合用ビス１２を打ち込んで結合を行った場合を示したが、図１（ロ）に示すように、結合用ビス１２とパネルフレーム５を押さえ込む領域との間の領域において、追加の間隔保持用雄ネジ材を打って間隔保持を行うようにしてもよい。結合用ビス１２をきつく締めた状態でこの追加の雄ネジ材を操作することにより結合力の大きさを調節することができる。
【００２７】
また、上記の実施形態では、間隔保持用の雄ネジ材１０の先端部を、ベース金物８の中央プレート部８ａに対し当接させた場合を示したが、間隔保持用の雄ネジ材１０の先端部をベース金物８の中央プレート部８ａに螺合させるようにしてもよい。
【００２８】
また、上記の実施形態では、間隔保持部を雄ネジ材１０で構成した場合を示したが、図１（ハ）に示すように、結合金物９の端部に屈曲板部９ａを設け、該屈曲板部９ａを断熱板４に貫通させてベース金物８の中央プレート部８ａに当接させた間隔保持部を用いるようにしてもよい。
【００２９】
また、上記の実施形態では、パネルフレーム５の左右の縦フレーム材５ｃとの結合用の結合金物として、図４（イ）に示すような結合金物９を用いた場合を示したが、図４（ロ）に示すような結合金物９を用いてもよい。
【００３０】
また、上記の実施形態では、パネルフレームとして、溝形材を用いた場合を示したが、角パイプ状のものなど各種形態のフレーム材が用いられてもよく、また、ベース金物８についても、ハット形に限らず、各種形態のベース金物が用いられてよい。
【００３１】
更に、上記の実施形態では、外壁パネルがロッキング外壁パネル１である場合を示したが、第１，第２，第４発明では、ロッキングしない外壁パネルに用いられてもよい。
【図面の簡単な説明】
【００３２】
【図１】図（イ）は第１実施形態の結合構造を示す断面平面図、図（ロ）及び図（ハ）はそれぞれ他の実施形態の結合構造を示す断面平面図である。
【図２】図（イ）及び図（ロ）は、図３（ハ）（ニ）と共に、結合の方法を順次に示す断面正面図である。
【図３】図（ハ）及び図（ニ）は、図２（イ）（ロ）と共に、結合の方法を順次に示す断面正面図である。
【図４】図（イ）はパネルフレームの左右の縦フレーム材と結合金物とベース金物との取り合い関係を示す斜視図、図（ロ）は結合金物の他の例を示す斜視図である。
【図５】図（イ）はパネルフレームの上の横フレーム材と結合金物とベース金物との取り合い関係を示す斜視図、図（ロ）はパネルフレームの下の横フレーム材と結合金物とベース金物との取り合い関係を示す斜視図である。
【図６】図（イ）は外壁パネルの断面平面図、図（ロ）は同分解断面平面図である。
【図７】図（イ）はパネルフレームの正面図、図（ロ）は外壁面材の背面図である。
【図８】図（イ）は断熱板の背面図、図（ロ）は外壁面材に設けられたベース金物とパネルフレームとの位置関係を示す背面図である。
【符号の説明】
【００３３】
１…ロッキング外壁パネル（外壁パネル）
２…外壁面材
４…断熱板
５…パネルフレーム
８…ベース金物
８ａ…中央プレート部（ベースプレート部）
９…結合金物
９ａ…屈曲板部（間隔保持部）
１０…雄ネジ材（間隔保持部）
１２…結合用ビス
【図１】
2009057704.tif 000003
【図２】
2009057704.tif 000004
【図３】
2009057704.tif 000005
【図４】
2009057704.tif 000006
【図５】
2009057704.tif 000007
【図６】
2009057704.tif 000008
【図７】
2009057704.tif 000009
【図８】
2009057704.tif 000010